(57)【要約】【課題】  カートリッジ型浄水器の取り付け時に給水管や供給管に設けた逆止弁の点検や補修に関するトラブルの発生を皆無にして、より確実にしかも容易に逆止弁の取替え等を行えるようにする。【解決手段】  流入口及び流出口を設けたベース体と、胴部ケーシングを備えたケース体と、前記ベース体の流入口及び流出口に連通する流入口と流出口とを備えると共に、前記ケース体内へ交換自在に挿着され、流入口から流入した水を浄化して流出口より送出するカートリッジフィルタ体とを備えたカートリッジ型浄水器に於いて、前記カートリッジフィルタ体の流入口と流出口の何れか一方又は両方に、逆止弁機構を当該カートリッジフィルタ体と一体的に形成する。【選択図】  図１
2007245128.tif 000002
【特許請求の範囲】
【請求項１】
流入口及び流出口を設けたベース体と、胴部ケーシングを備えたケース体と、前記ベース体の流入口及び流出口に連通する流入口と流出口とを備えると共に、前記ケース体内へ交換自在に挿着され、流入口から流入した水を浄化して流出口より送出するカートリッジフィルタ体とを備えたカートリッジ型浄水器に於いて、前記カートリッジフィルタ体の流入口と流出口の何れか一方又は両方に、逆止弁機構を当該カートリッジフィルタ体と一体的に形成したことを特徴とするカートリッジ型浄水器。
【請求項２】
カートリッジフィルタ体を、合成樹脂ケースで水密状に囲繞し、ケース体内壁面を乾燥状態に保持するようにした請求項１に記載のカートリッジ型浄水器。
【請求項３】
カートリッジフィルタ体の底面の中央部に流出口を、またその外周部に同芯円状に流入口を夫々設ける構成とした請求項１に記載のカートリッジ型浄水器。
【請求項４】
カートリッジフィルタ体の底面の中央部に流出口を、またその側方に流入口を夫々設ける構成とした請求項１に記載のカートリッジ型浄水器。
【請求項５】
カートリッジフィルタ体の底面の中央部に流入口を、またその外周部に同芯円状に流出口を夫々設ける構成とした請求項１に記載のカートリッジ型浄水器。
【請求項６】
カートリッジフィルタ体の底面の中央部に流入口を、またカートリッジフィルタ体の上面の中央部に流出口を夫々設ける構成とした請求項１に記載のカートリッジ型浄水器。
【請求項７】
カートリッジフィルタ体の底面に、鍔状のフィルタ円盤体と、その上面中央部に突設したセラミックフィルタ受筒と、フィルタ円盤体の下面中央に突設したフィルタ支持筒体とから成るフィルタ受台を配設し、流出口を形成する前記フィルタ支持筒体の内方に逆止弁機構を設けると共に、当該フィルタ支持筒体をベース体の流出口に連通するフィルタ嵌合部内へ挿入することにより、カートリッジフィルタ体をベース体へ支持固定する構成とした請求項１に記載のカートリッジ型浄水器。
【請求項８】
カートリッジフィルタ体の底面の中央部に、流入口を形成するフィルタ支持筒体を突設形成し、当該フィルタ支持筒体の内方に逆止弁機構を設けると共に、前記フィルタ支持筒体をベース体の流出口に連通するフィルタ嵌合部内へ挿入することにより、カートリッジフィルタ体をベース体へ支持固定する構成とした請求項１に記載のカートリッジ型浄水器。
【請求項９】
請求項１乃至請求項９の何れかに記載のカートリッジ型浄水器のケース体内に交換自在に挿着され、水の流入口及び流出口を備えると共に、流入口から流入した水を浄化して流出口より送出するカートリッジフィルタ体であって、前記カートリッジフィルタ体は、中心に位置して水が流通する筒体と、筒体の周囲に間隙を置いて配置され、水が半径方向へ流通する中空円筒状のフィルタと、フィルタの底面側に配設したフィルタ受台と、フィルタの上面側に配設したフィルタ押えとから成り、カートリッジフィルタ体の底面又は外周面に水の流入口を形成すると共に、カートリッジフィルタの底面又は上面に水の流出口を形成し、前記流入口と流出口の何れか一方又は両方に、逆止弁機構を当該カートリッジフィルタ体と一体的に形成したことを特徴とするカートリッジ型浄水器のカートリッジフィルタ体。
【請求項１０】
カートリッジフィルタ体の筒体内に粒状のセラミック体を充填し、当該筒体をセラミックフィルタに形成したことを特徴とする請求項９に記載のカートリッジ型浄水器のカートリッジフィルタ体。
【請求項１１】
中空円筒状のフィルタの外側に筒状の合成樹脂ケースを間隙を置いて配置し、当該合成樹脂ケースの上端部及び下端部をフィルタ押え及びフィルタ受台に夫々気密状に固定する構成とした請求項９に記載のカートリッジ型浄水器のカートリッジフィルタ体。
【発明の詳細な説明】
【技術分野】
【０００１】
本発明は、浄水器の取り付けや取り外し、保守点検等を容易に行えるようにしたカートリッジ型浄水器及びこれに用いるカートリッジフィルタ体に関するものである。
【背景技術】
【０００２】
一般家庭やマンション等の集合住宅では、所謂カートリッジ型浄水器を用いて上水を浄化し、余剰塩素等を除去した清浄水を使用することが多く行われている。
【０００３】
図８は、当該カートリッジ型浄水器Ａの一般的な取り付け状態を示すものであり、また、図９は、この種のカートリッジ型浄水器Ａの内部構造の一例を示すものである。
即ち、浄水器Ａは、図８に示すように、一般に水道メータＢの下流側の給水管Ｃに介設されると共に、浄水器Ａの出口側と入口側の何れか一方又は両方には、供給水管Ｅ側への逆流を防止するために、逆止弁Ｄが介挿されている。
【０００４】
また、当該浄水器Ａは、通常図９に示すように、流入口１０、環状溝１１及び流出口１２等を備えたベース体Ｆと、胴部ケーシング２とヘッドキャップ３等を備えたケース体Ｇと、濁度フィルタ４、活性炭フィルタ５及びセラミックフィルタ６等を組み付けして形成され、前記ケース体Ｇ内へ着脱自在に挿着したカートリッジフィルタ体Ｈとから構成されており、流入口１０から流入した水Ｗが、環状溝１１、間隙９、濁度フィルタ４、間隙８、活性炭フィルタ５、間隙７及びセラミックフィルタ６を通して浄化され、流出口１２から給水されて行く。
【０００５】
而して、浄水器Ａの取替えや補修に際しては、浄水器Ａの接続部Ｋを外したり、或いは逆止弁Ｄの接続部を外したりすることにより、浄水器Ａを供給水管Ｅ及び給水管Ｃから外し、その取替え又は補修を行う。
【０００６】
また、カートリッジフィルタ体Ｈが汚損した場合には、ケース体Ｇのヘッドキャップ３を取り外し、使用済みのカートリッジフィルタ体Ｈを引き出して新たなカートリッジフィルタ体Ｈと交換したあと、ヘッドキャップ３を再度取り付けする。
【０００７】
【特許文献１】特開２００２−５９１５３号公報
【特許文献２】特開２００４−３３０１２０号公報
【特許文献３】実用新案登録第３１０８４５０号公報
【発明の開示】
【発明が解決しようとする課題】
【０００８】
従前の図８及び図９に示したカートリッジ型浄水器Ａは、水道水の余剰塩素の除去や水の清浄化を簡単且つ確実に行うことができ、優れた実用的効用を奏するものである。
しかし、この種のカートリッジ型浄水器Ａにも解決すべき問題点が多く残されており、その中でもカートリッジ型浄水器Ａの設置に伴って取り付けした逆止弁Ｄの点検や補修に手数が掛かることが、問題となっている。
【０００９】
即ち、逆止弁Ｄの作動の確実性を担保するためには、常にそのシート面等を正常状態に保持しておく必要があり、ごみの噛み込み等が生じてないか否かを高頻度で点検する必要がある。
そのため、浄水器Ａのカートリッジフィルタ体Ｆを３〜６ケ月位のピッチで交換（又は補修）する際に、これと同時に前記逆止弁Ｄを点検するようにしているが、逆止弁Ｄを給水管Ｃや供給水管Ｅから取り外しするのに手数が掛かるうえ、取り付け場所が狭いこととも相俟って作業を円滑に遂行することが困難で、結果として逆止弁Ｄの点検作業後に、所謂水漏れ等のトラブルが生じたり、作業時間が長引く等の問題がある。
【００１０】
また、逆止弁Ｄが浄水器Ａと別に設けられているため、浄水器ＡのカートリッジフィルタＨの交換時又は点検時に必ず逆止弁Ｄの点検が行われるとは限らず、所謂逆止弁Ｄの点検漏れが生じ易いと云う問題がある。更に、ケース体Ｇの内壁面が常時水と接しているため、ケース体Ｇに腐食を生じる場合があることも、一つの問題となっている。
【００１１】
本願発明は、この種のカートリッジ型浄水器Ａの設置に伴って発生する上述の如き問題、即ち、ａ．カートリッジ型浄水器Ａの設置に伴ってその近傍に設けた逆止弁Ｄの保守・点検に手数が掛かったり、逆止弁と給水管路との連結接続部からの水漏れが生じ易いこと、及びｂ．逆止弁の点検漏れを生じ易いこと等の問題を解決せんとするものであり、浄水器Ａを構成するカートリッジフィルタ体Ｈそのものに逆止弁機構を具備せしめた構造とすることにより、逆止弁Ｄを別途に設置することを不要にすると共に、カートリッジフィルタ体Ｈの交換と同時に逆止弁機構も確実に交換されるようにした、新規なカートリッジ型浄水器及びこれに用いるカートリッジフィルタ体の提供を発明の主目的とするものである。
【課題を解決するための手段】
【００１２】
本願請求項１の発明は、流入口及び流出口を設けたベース体と、胴部ケーシングを備えたケース体と、前記ベース体の流入口及び流出口に連通する流入口と流出口とを備えると共に、前記ケース体内へ交換自在に挿着され、流入口から流入した水を浄化して流出口より送出するカートリッジフィルタ体とを備えたカートリッジ型浄水器に於いて、前記カートリッジフィルタ体の流入口と流出口の何れか一方又は両方に、逆止弁機構を当該カートリッジフィルタ体と一体的に形成したことを発明の基本構成とするものである。
【００１３】
請求項２の発明は、請求項１の発明において、カートリッジフィルタ体を、合成樹脂ケースで水密状に囲繞し、ケース体内壁面を乾燥状態に保持するようにしたものである。
【００１４】
請求項３の発明は、請求項１の発明において、カートリッジフィルタ体の底面の中央部に流出口を、またその外周部に同芯円状に流入口を夫々設ける構成としたものである。
【００１５】
請求項４の発明は、請求項１の発明において、カートリッジフィルタ体の底面の中央部に流出口を、またその側方に流入口を夫々設ける構成としたものである。
【００１６】
請求項５の発明は、請求項１の発明において、カートリッジフィルタ体の底面の中央部に流入口を、またその外周部に同芯円状に流出口を夫々設ける構成としたものである。
【００１７】
請求項６の発明は、請求項１の発明において、カートリッジフィルタ体の底面の中央部に流入口を、またカートリッジフィルタ体の上面の中央部に流出口を夫々設ける構成としたものである。
【００１８】
請求項７の発明は、請求項１の発明において、カートリッジフィルタ体の底面に、鍔状のフィルタ円盤体と、その上面中央部に突設したセラミックフィルタ受筒と、フィルタ円盤体の下面中央に突設したフィルタ支持筒体とから成るフィルタ受台を配設し、流出口を形成する前記フィルタ支持筒体の内方に逆止弁機構を設けると共に、当該フィルタ支持筒体をベース体の流出口に連通するフィルタ嵌合部内へ挿入することにより、カートリッジフィルタ体をベース体へ支持固定する構成としたものである。
【００１９】
請求項８の発明は、請求項１の発明において、カートリッジフィルタ体の底面の中央部に、流入口を形成するフィルタ支持筒体を突設形成し、当該フィルタ支持筒体の内方に逆止弁機構を設けると共に、前記フィルタ支持筒体をベース体の流出口に連通するフィルタ嵌合部内へ挿入することにより、カートリッジフィルタ体をベース体へ支持固定する構成としたものである。
【００２０】
請求項９の発明は、カートリッジ型浄水器のケース体内に交換自在に挿着され、水の流入口及び流出口を備えると共に、流入口から流入した水を浄化して流出口より送出するカートリッジフィルタ体であって、前記カートリッジフィルタ体は、中心に位置して水が流通する筒体と、筒体の周囲に間隙を置いて配置され、水が半径方向へ流通する中空円筒状のフィルタと、フィルタの底面側に配設したフィルタ受台と、フィルタの上面側に配設したフィルタ押えとから成り、カートリッジフィルタ体の底面又は外周面に水の流入口を形成すると共に、カートリッジフィルタの底面又は上面に水の流出口を形成し、前記流入口と流出口の何れか一方又は両方に、逆止弁機構を当該カートリッジフィルタ体と一体的に形成したことを発明の基本構成とするものである。
【００２１】
請求項１０の発明は、請求項９の発明において、カートリッジフィルタ体の筒体内に粒状のセラミック体を充填し、当該筒体をセラミックフィルタに形成したものである。
【００２２】
請求項１１の発明は、請求項９の発明において、中空円筒状のフィルタの外側に筒状の合成樹脂ケースを間隙を置いて配置し、当該合成樹脂ケースの上端部及び下端部をフィルタ押え及びフィルタ受台に夫々気密状に固定する構成としたものである。
【発明の効果】
【００２３】
本発明においては、カートリッジ型浄水器Ａを形成するカートリッジフィルタ体Ｈの水の入口側と水の出口側の何れか一方又は両方に、逆止弁機構を設けた構成としている。そのため、カートリッジフィルタ体Ｈの交換と同時に逆止弁機構も交換されることになり、従前の逆止弁Ｄを別体として設けた場合のような逆止弁の点検漏れを生じる虞れを皆無にすることが出来ると共に、極めて容易に、しかも水漏れ等のトラブルを生ずることなしに能率よくフィルタ機構と逆止弁機構を取り替えすることができる。
【発明を実施するための最良の形態】
【００２４】
以下、図面に基づいて本発明の各実施形態を説明する。尚、各図に於いて、前記図８及び図９に示した部位、部材と同一のものについては、これと同じ参照番号を使用するものとする。
図１は、本発明の第１実施形態に係るカートリッジ型浄水器Ａの断面概要図であり、図２は、当該カートリッジ型浄水器Ａのカートリッジフィルタ体Ｈの断面概要図である。
【００２５】
カートリッジ型浄水器Ａは、ケース体Ｇとカートリッジフィルタ体Ｈとベース体Ｆとから構成されている。また、前記ケース体Ｇは、ステンレス鋼製の円筒型の胴部ケーシング２とヘッドキャップ３とを締結金具１３により気密状に組合せ固定することにより形成されている。尚、ヘッドキャップ３の中央部には、ケース体Ｇ内の残留空気を外部へ逃がすための空気技弁１４が設けられている。
【００２６】
前記ベース体Ｆは、前記ケース体Ｇの下方部にその胴部ケーシング２と一体的に形成されており、流入口１０、流出口１２、筒状のフィルタ嵌合部１５及び浄水器接続部Ｋを夫々備えている。
尚、図１の実施形態ではベース体Ｆをケース体Ｇと一体的に形成しているが、ベース体Ｆとケース体Ｇとを別体として、両者を締結金具（図示省略）を介して気密状に連結する構成としてもよいことは勿論である。
【００２７】
前記カートリッジフィルタ体Ｈは、図２に示す如く、合成樹脂製の筒体６ａ内へ粒状のセラミック体６ｂを充填して成るセラミックフィルタ６と、筒体６ａの外側に間隙７を置いて配設した中空円筒状の繊維状活性炭フィルタ５と、繊維状活性炭フィルタ５の外側に配設した円筒状の濁度フィルタ４と、繊維状活性炭フィルタ５の底面側に配設したフィルタ受台１６と、フィルタ受台１６に一体的に設けた逆止弁機構１７と、繊維状活性炭フィルタ５の上面側に配設したフィルタ押え１８とから形成されており、当該カートリッジフィルタ体Ｈの底面の中央部には水Ｗの流出口（水Ｗの流出通路）が設けられていると共に、カートリッジフィルタ体Ｈの外周面に位置する濁度フィルタ４部分が水Ｗの流入口（水Ｗの流入通路）となっている。
【００２８】
また、前記フィルタ受台１６は、合成樹脂製の鍔形のフィルタ円盤体１６ａと、フィルタ円盤体１６ａの上面側の中央部に上向に突設したセラミックフィルタ６を挿着するための短筒状のセラミックフィルタ受筒１６ｃと、円盤体１６ａの下面側の中央部に下向きに突設したフィルタ支持筒体１６ｂとから形成されており、セラミックフィルタ６及び繊維状活性炭フィルタ５の下端部を支持するものである。
尚、当該フィルタ支持筒体１６ｂは、水Ｗの流出口（水Ｗの流出通路）と逆止弁機構１７の設置場所とを形成すると共に、後述するようにカートリッジフィルタ体Ｈをベース体Ｆへ支持固定するための機能を果たすものである。
【００２９】
前記フィルタ支持筒体１６ｂの内方には、弁座体１７ａと、弁体１７ｂと、弁体１７ｂを上方へ付勢して弁体１７ｂを弁座体１７ａへ当座させるスプリング１７ｃとが配設されており、当該弁座体１７ａと弁体１７ｂとスプリング１７ｃとによって、水Ｗが上方へ向って流入（逆流）するのを防止する逆止弁機構１７がフィルタ支持筒体１６ｂの内方に形成されている。
【００３０】
尚、図２において、６ｃはセラミックフィルタ６の筒体６ａの上下端部開口に取り付けられ、粒状のセラミック体８ｂの流出を阻止する多孔板、１６ｄはフィルタ支持筒体１６ｂの外周面に形成したＯリング挿着溝、１８ａはフィルタ押え１８の上面側に設けられ、カートリッジフィルタ体Ｈを持ち上げるための取っ手である。
【００３１】
前記カートリッジフィルタ体Ｈは、ケース体Ｇのヘッドキャップ３を取り外しすることにより、上方より胴部ケーシング２内へ挿入され、フィルタ受台１６のフィルタ支持筒体１６ｂをベース体Ｆの円筒状のフィルタ嵌合部１５内へ挿入することにより、ベース体Ｆ上に起立姿勢で支持固定される。
【００３２】
また、カートリッジフィルタ体Ｈを胴部ケーシング２内へ挿入すれば、胴部ケーシング２の上方へヘッドキャップ２を装着し、締結金具１３を介して両者を気密状に連結する。
尚、ヘッドキャップ２を胴部ケーシング２側へ固定することにより、フィルタ押え１８の外周縁部がヘッドキャップ２により支持固定され、これによってカートリッジフィルタ体Ｈは、所定の位置に起立姿勢で支持固定されることになる。
【００３３】
而して、前記カートリッジ型浄水器Ａによれば、図１に示す如く、ベースＦの流入口１０から流入した水Ｗは、胴部ケーシング２と濁度フィルタ４との間の間隙９、濁度フィルタ４、濁度フィルタ４と繊維状活性炭フィルタ５との間の間隙８、繊維状活性炭フィルタ５、繊維状活性炭フィルタ５とセラミックフィルタ６との間の間隙７、セラミックフィルタ６を通してその下方部からフィルタ支持筒体１６ｂの内方へ流出し、ベース体Ｆの流出口１２から給水箇所へ送水されて行く。
【００３４】
また、カートリッジ型浄水器Ａを所定時間使用すれば（或いは、予め定められた期間が経過すれば）、上記ヘッドキャップ２を開放して、胴部ケーシング２内からカートリッジフィルタ体Ｈを上方へ抜き出し、新たなカートリッジフィルタ体Ｈと交換をするか、若しくは濁度フィルタ４等の汚れ具合や逆止弁機構１７の作動状態を点検する。
【００３５】
本実施形態においては、カートリッジフィルタ体Ｈの交換と同時に逆止弁機構１７も新たなものに入れ替えされるため、逆止弁機構１７の点検漏れは完全に防止される。
また、本実施形態においては、カートリッジフィルタ体Ｈを簡単にケース体Ｇの外方へ取り出すことができるため、給水管や供給水管との接続部Ｋを解離することなしに、容易に逆止弁機構１７の作動状況等を点検することができる。
【００３６】
尚、カートリッジフィルタ体Ｈを形成する各フィルタ４、５、６やベース体Ｆ及びケース体Ｇは、何れも公知であるため、ここではその詳細な説明を省略する。
【００３７】
図３は、本発明の第２実施形態に係るカートリッジ型浄水器Ａの断面概要図であり、また、図４は、当該カートリッジ型浄水器で使用されているカートリッジフィルタ体Ｈの断面概要図である。
【００３８】
第２実施形態のカートリッジ型浄水器Ａに於いては、カートリッジフィルタＨの底面の中央部に設けた水Ｗの流出口（水Ｗの流出通路）の外周部に水Ｗの流入口（水Ｗの流入通路）を設けた点、カートリッジフィルタＨが流入口と流出口の両方に逆止弁機構１７，２１を有している点、フィルタ部分の全体がＡＢＳ樹脂ケース１９によって囲繞されている点及びケース体Ｇとベース体Ｆとが別体とされている点が、前記第１実施形態の場合と異なっているが、その他の点は第１実施形態の場合と同一である。
【００３９】
即ち、カートリッジフィルタ体Ｈは、図４に示す如く、合成樹脂製の筒体６ａ内へ粒状のセラミック体６ｂを充填して成るセラミックフィルタ６と、筒体６ａの外側に間隙７を置いて配設した中空円筒状の繊維状活性炭フィルタ５と、繊維状活性炭フィルタ５の外側に間隙８を置いて配設した円筒状の合成樹脂ケース１９と、繊維状活性炭フィルタ５の底面側に配設したフィルタ受台１６と、フィルタ受台１６のフィルタ支持筒体１６ｂ内に一体的に設けた逆止弁機構１７と、繊維状活性炭フィルタ５の上面側に配設したフィルタ押え１８と、フィルタ受台１６の下面側に同芯状に配設した第２のフィルタ受台２０と、フィルタ受台１６と第２のフィルタ受台２０との間に設けた逆止弁機構２１とから形成されており、当該カートリッジフィルタ体Ｈの底面の中央部には水Ｗの流出口（水Ｗの流出通路）が設けられていると共に、その流出口の周囲に水Ｗの流入口２２（水Ｗの流入通路）が設けられている。
【００４０】
前記第２のフィルタ受台２０は、図４に示す如く、第１実施形態のフィルタ受台１６の下面側に、スペーサ２０ｃにより間隙２２を保持した状態で第２の円盤体２０ａを対向させると共に、第２の円盤体２０ａの中央部から下方へ太径の短円筒状の第２のフィルタ支持筒体２０ｂを突設することにより形成されており、フィルタ受台１６のフィルタ支持筒体１６ｂと第２のフィルタ支持筒体２０ｂとの間隙２２及びフィルタ受台１６のフィルタ円盤体１６ａと第２の円盤体２０ａとの間隙２２が、水Ｗの流入口２２（水Ｗの流入通路）を形成している。
【００４１】
また、第２のフィルタ支持筒体２０ｂとフィルタ支持筒体１６ｂとの間に形成された水Ｗの流入口２２（間隙２２又は流入通路）には、一側をフィルタ支持筒体１６へ支持固定２１ａした弾性力を有する弁体２１ｂが設けられており、流入口２２を流入して来た水Ｗの圧力により弁体２１ｂが開弁される。
【００４２】
尚、図３及び図４において、２０ｄは第２のフィルタ支持筒体２０ｂの外周面に形成したＯリング挿着溝であり、また、弁体２１ｂは素材の有する弾性力により、常時は流入口２２（間隙２２又は流入通路）を閉止する方向に付勢されている。
更に、合成樹脂ケース１９は、フィルタ押え１８及び第２のフィルタ受台２０の円盤体２０ａへ気密状に固定されており、処理水Ｗが合成樹脂ケース１９の外側へ漏出することは無い。そのため、ケース体Ｇ内の内壁面は、乾燥状態に保持されることになり、水Ｗによる腐食が防止されることになる。また、キャップ３を外してカートリッジフィルタ体Ｈを交換する際に、ケース体Ｈ内に水Ｗが無いので、カートリッジフィルタ体Ｈの交換を容易に行うことができる。
【００４３】
カートリッジフィルタ体Ｈのケース体Ｇ内への取り付けは、前記第１実施形態の場合と全く同一であり、ヘッドキャップ３を取り外して胴部ケーシング２の方よりその内方へカートリッジフィルタ体Ｈを挿入し、フィルタ受台１６のフィルタ支持筒体１６ｂをベース体Ｆのフィルタ嵌合部１５へ挿入すると共に、第２のフィルタ受台２０の第２のフィルタ支持筒体２０ｂをフィルタ嵌合部１５の周囲に形成した筒状の第２のフィルタ嵌合部１５′へ挿入することにより、カートリッジフィルタ体ＨをＯリングＯを介して水密状にベース体Ｆへ固定する。
尚、図３において、１３は胴部ケーシング２とヘッドキャップ３とを締め付け固定する締結金具、２３はベース体Ｆとケース体Ｇとを締め付け固定する締結金具である。
【００４４】
処理水Ｗの流入口２２（間隙２２又は流入通路）に介設された逆止弁機構２１は、フィルタ受台１６に取り付けられた弁体２１ｂと弁体２１ｂの先端部が当離座する第２のフィルタ受台２０に形成した弁座２１ｃとから形成されており、本実施形態では弁体２１ｂとして、リング状のゴム製又は合成樹脂製の弁体２１ｂが使用されている。しかし、当該弁体２１ｂは、リング状の流入口２２（間隙２２又は流入通路）の適宜箇所（例えば３〜６ケ所）に分散設置するようにしてもよいことは勿論である。
【００４５】
而して、第２実施形態のカートリッジ型浄水器Ａによれば、図３に示す如く、ベース体Ｆの流入口１０から流入した水Ｗは、流入口２２（間隙２２又は流入通路）を通って合成樹脂ケース１９の内側の間隙８、繊維状活性炭フィルタ５、繊維状活性炭フィルタ５とセラミックフィルタ６との間の間隙７を通して上方からセラミックフィルタ６内へ流入し、その下方から逆止弁機構１７、ベース体Ｆの流出口１２を通して給水箇所へ送水される。
また、カートリッジフィルタ体Ｈの取り替えや点検方法は第１実施形態の場合と全く同一であるため、ここではその説明を省略する。
【００４６】
図５は、本発明の第３実施形態に係るカートリッジ型浄水器Ａの断面概要図である。
当該第３実施形態のカートリッジ型浄水器Ａは、第２実施形態の第２のフィルタ受台２０に設けた逆止弁機構２１を単独としたものであり、フィルタ受台１６の下面側に第２実施形態の第２のフィルタ受台２０とは異なる別の第２のフィルタ受台２４をスペーサ２４ｃを介して同芯状に配設し、第２のフィルタ受台２４に形成した第２の円盤体２４ａの一側寄りの下面側に流入口２５（流入通路）を形成する第２のフィルタ支持筒体２４ｂを突設し、この第２のフィルタ支持筒体２４ｂの内部に逆止弁機構２６を配設するようにしたものである。
【００４７】
即ち、逆止弁機構２６は、流出側の逆止弁機構１７と同じ構造を有するものであり、弁座体２６ａ、弁体２６ｂ、スプリング２６ｃ等から構成されており、矢印方向に被処理水Ｗを流通させるものである。
また、フィルタ受台１６のフィルタ支持筒体１６ｂがベース体Ｆのフィルタ嵌合部１５内へ挿着支持されることになる。
尚、カートリッジフィルタ体Ｈの取り付け方法や被処理水Ｗの流れ等については、第２実施形態の場合と全く同一であるため、ここではその説明を省略する。
【００４８】
図６は、本発明の第４実施形態に係るカートリッジ型浄水器Ａの断面概要図である。
当該第４実施形態のカートリッジ型浄水器Ａは、ケース体Ｇとベース体Ｆとカートリッジフィルタ体Ｈとから構成されている。
また、前記ケース体Ｇは、ステンレス鋼製の円筒型の胴部ケーシング２とヘッドキャップ３とを締結金具１３により気密状に組合せ固定することにより形成されており、胴部ケーシング２の下端部内周面（又はベース体Ｆの上端部内周面）にはカートリッジフィルタ体Ｈを支持する環状のフィルタ支持板２７が取り付けられている。このフィルタ支持板２６の内周縁部には、筒状のフィルタ嵌合部２７ａが下向きに突設形成されている。
更に、ベース体Ｆは、前記ケース体Ｇの下方部にその胴部ケーシング２と一体的に形成されており、流入口１０、流出口１２及び筒状のフィルタ嵌合部１５等を夫々備えている。
【００４９】
前記カートリッジフィルタ体Ｈは、図６に示す如く、合成樹脂製の筒体６ａ内へ粒状のセラミック体６ｂを充填して成るセラミックフィルタ６と、筒体６ａの外側に間隙７を置いて配設した中空円筒状の繊維状活性炭フィルタ５と、繊維状活性炭フィルタ５の底面側に配設され、繊維状活性炭フィルタ５の下端部を支持するフィルタ受台１６と、繊維状活性炭フィルタ５の上面側に配設され、繊維状活性炭フィルタ５及びセラミックフィルタの上端部を夫々支持するフィルタ押え１８と、セラミックフィルタ６の筒体６ａの下端部に一体的に形成され、水Ｗの流入口（水Ｗの流入通路）を形成すると共に、ベース体Ｆのフィルタ嵌合部１５に挿入される筒状のフィルタ支持筒体２８と、フィルタ支持筒体２８内に一体的に設けた逆止弁機構１７とから形成されており、当該カートリッジフィルタ体Ｈの底面の中央部に水Ｗの流入口（水Ｗの流入通路）が設けられていると共に、その流入口の周囲に水Ｗの流出口（水Ｗの流出通路）が設けられている。
尚、本実施形態においては、フィルタ支持筒体２８をセラミックフィルタ６の筒体６ａの下端部に一体的に形成したが、フィルタ支持筒体２８を筒体６ａと別体に形成してもよい。
【００５０】
前記フィルタ受台１６は、合成樹脂製の鍔形のフィルタ円盤体１６ａと、フィルタ円盤体１６ａの下面側の中央部に下向きに突設され、フィルタ支持板２７のフィルタ嵌合部２７ａに挿入されるフィルタ支持筒体１６ｂとから形成されており、繊維状活性炭フィルタ５の下端部を支持するものである。
また、フィルタ押え１８は、合成樹脂材により円盤状に形成されており、その中央部にはセラミックフィルタ６の上端が上方へ開放された状態で挿入される挿入穴１８ｂが形成されている。
【００５１】
前記フィルタ支持筒体２８は、水Ｗの流出口（水Ｗの流出通路）と逆止弁機構１７の設置場所とを形成すると共に、カートリッジフィルタ体Ｈのセラミックフィルタ６の下端部をベース体Ｆへ支持固定するための機能を果たすものである。
また、フィルタ支持筒体１８の内方には、弁座体１７ａと、弁体１７ｂと、弁体１７ｂを下方へ付勢して弁体１７ｂを弁座体１７ａへ当座させるスプリング１７ｃとが配設されており、当該弁座体１７ａと弁体１７ｂとスプリング１７ｃとによって、水Ｗが下方へ向って逆流するのを防止する逆止弁機構１７がフィルタ支持筒体２８の内方に形成されている。
【００５２】
尚、図６において、６ｃはセラミックフィルタ６の筒体６ａの上下端部開口に取り付けられ、粒状のセラミック体８ｂの流出を阻止する多孔板、１６ｄはフィルタ受台１６のフィルタ支持筒体１６ｂの外周面に形成したＯリング挿着溝、１８ａはフィルタ押え１８の上面側に設けられ、カートリッジフィルタ体Ｈを持ち上げるための取っ手、２８ａはフィルタ支持筒体２８の外周面に形成したＯリング挿着溝である。
【００５３】
上述したカートリッジフィルタ体Ｈのケース体Ｇ内への取り付けは、前記各実施形態の場合と同様であり、ヘッドキャップ３を取り外して胴部ケーシング２の上方よりその内方へカートリッジフィルタ体Ｈを挿入し、フィルタ受台１６のフィルタ支持筒体１６ｂをフィルタ支持板２７のフィルタ嵌合部２７ａへ挿入すると共に、セラミックフィルタ６の筒体６ａの下端部に一体的に形成したフィルタ支持筒体２８をベース体Ｆのフィルタ嵌合部１５へ挿入することにより、カートリッジフィルタ体ＨをＯリングＯを介して水密状にベース体Ｆへ固定する。
【００５４】
而して、第４実施形態のカートリッジ型浄水器Ａによれば、図６に示す如く、ベース体Ｆの流入口１０から流入した水Ｗは、逆止弁機構１７を設けた流入口（流入通路）を通ってセラミックフィルタ６内に流入し、セラミックフィルタ６内を上方へ流れてセラミックフィルタ６の上端部の多孔板６ｃからケース体Ｇとカートリッジフィルタ体Ｈとの間の空間に流出した後、繊維状活性炭フィルタ５の外周面から繊維状活性炭フィルタ５を半径方向へ通過して繊維状活性炭フィルタ５とセラミックフィルタ６との間の間隙７に流入し、当該間隙７内を下向きに流れてカートリッジフィルタ体Ｈの流出口及びベース体Ｆの流出口１２を通って給水箇所へ送水される。
また、カートリッジフィルタ体Ｈの取り替えや点検方法は第１実施形態の場合と全く同一であるため、ここではその説明を省略する。
【００５５】
図７は、本発明の第５実施形態に係るカートリッジ型浄水器Ａの断面概要図である。
当該第５実施形態のカートリッジ型浄水器Ａは、ケース体Ｇとベース体Ｆとカートリッジフィルタ体Ｈとから構成されている。
また、前記ケース体Ｇは、ステンレス鋼製の円筒型の胴部ケーシング２とヘッドキャップ３とを締結金具１３により気密状に組合せ固定することにより形成されている。
更に、ベース体Ｆは、前記ケース体Ｇの下方部にその胴部ケーシング２と一体的に形成されており、流入口１０、流出口１２及び筒状のフィルタ嵌合部１５等を夫々備えている。
【００５６】
前記カートリッジフィルタ体Ｈは、図７に示す如く、合成樹脂製の筒体６ａ内へ粒状のセラミック体６ｂを充填して成るセラミックフィルタ６と、筒体６ａの外側に間隙７を置いて配設され、セラミックフィルタ６よりも長めに形成された中空円筒状の繊維状活性炭フィルタ５と、繊維状活性炭フィルタ５の底面側に配設され、繊維状活性炭フィルタ５の下端部を支持するフィルタ受台１６と、繊維状活性炭フィルタ５の上面側に配設され、繊維状活性炭フィルタ５及びセラミックフィルタの上端部を夫々支持するフィルタ押え１８と、フィルタ受台１６の下面側に間隔を置いて配置され、フィルタ受台１６を支持すると共に、水Ｗの流入口（水Ｗの流入通路）を設けた第２及び第３実施形態のフィルタ受台２０，２４とは異なる別の第２のフィルタ受台２９と、フィルタ受台２９に一体的に設けた逆止弁機構１７と、第２のフィルタ受台２９に一体的に形成され、繊維状活性炭フィルタ５の外側に間隙８を置いて配設した円筒状の合成樹脂ケース１９とから形成されており、当該カートリッジフィルタ体Ｈの底面の中央部に水Ｗの流入口（水Ｗの流入通路）が設けられていると共に、カートリッジフィルタ体Ｈの上面の中央部に水Ｗの流出口（水Ｗの流出通路）が設けられている。
【００５７】
前記フィルタ受台１６は、合成樹脂製のフィルタ円盤体１６ａと、フィルタ円盤体１６ａの下面側の中央部に下向きに突設され、第２のフィルタ受台２９との間に間隙を形成するスペーサの役目を果たすと共に、水Ｗが流通する切欠１６ｅを形成した短い支持筒体１６ｆとから形成されており、第２のフィルタ受台２９の上面側に支持載置されている。
また、フィルタ押え１８は、合成樹脂材により円盤状に形成されており、その中央部にはセラミックフィルタ６の上端が上方へ開放された状態で挿入される挿入穴１８ｂが形成されている。このフィルタ押え１８の挿入穴１８ｂにセラミックフィルタ６の上端部を挿入することによって、カートリッジフィルタ体Ｈの上面の中央部に水Ｗの流出口（水Ｗの流出通路）が形成されることになる。
更に、第２のフィルタ受台２９は、フィルタ受台１６のフィルタ円盤体１６ａの下面側に対向する合成樹脂製の鍔形の第２の円盤体２９ａと、第２の円盤体２９ａの下面側の中央部に下向きに突設され、水Ｗの流入口（水Ｗの流入通路）を形成すると共に、ベース体Ｆのフィルタ嵌合部１５に挿入される筒状のフィルタ支持筒体２９ｂとから形成されている。
この第２のフィルタ受台２９のフィルタ支持筒体２９ｂは、水Ｗの流入口（水Ｗの流入通路）と逆止弁機構１７の設置場所とを形成すると共に、後述するようにカートリッジフィルタ体Ｈをベース体Ｆへ支持固定するための機能を果たすものである。
そして、合成樹脂ケース１９は、筒状に形成されており、その下端部が第２のフィルタ受台２９の第２の円盤体２９ａの外周縁部に連設されていると共に、その上端部がフィルタ押え１８へ気密状に固定されている。
尚、本実施形態においては、合成樹脂ケース１９の下端部を第２のフィルタ受台２９に一体的に形成したが、合成樹脂ケース１９と第２のフィルタ受台２９とを別体に形成してもよい。
【００５８】
前記第２のフィルタ受台２９のフィルタ支持筒体２９ｂの内方には、弁座体１７ａと、弁体１７ｂと、弁体１７ｂを下方へ付勢して弁体１７ｂを弁座体１７ａへ当座させるスプリング１７ｃとが配設されており、当該弁座体１７ａと弁体１７ｂとスプリング１７ｃとによって、水Ｗが下方へ向って逆流するのを防止する逆止弁機構１７がフィルタ支持筒体２９ｂの内方に形成されている。
【００５９】
尚、図７において、６ｃはセラミックフィルタ６の筒体６ａの上下端部開口に取り付けられ、粒状のセラミック体８ｂの流出を阻止する多孔板、１８ａはフィルタ押え１８の上面側に設けられ、カートリッジフィルタ体Ｈを持ち上げるための取っ手、２９ｃは第２のフィルタ受台２９のフィルタ支持筒体２９ｂの外周面に形成したＯリング挿着溝である。
【００６０】
上述したカートリッジフィルタ体Ｈのケース体Ｇ内への取り付けは、前記各実施形態の場合と同様であり、ヘッドキャップ３を取り外して胴部ケーシング２の上方よりその内方へカートリッジフィルタ体Ｈを挿入し、第２のフィルタ受台２９のフィルタ支持筒体２９ｂをベース体Ｆのフィルタ嵌合部１５へ挿入することにより、カートリッジフィルタ体ＨをＯリングＯを介して水密状にベース体Ｆへ固定する。
【００６１】
而して、第５実施形態のカートリッジ型浄水器Ａによれば、図７に示す如く、ベース体Ｆの流入口１０から流入した水Ｗは、逆止弁機構１７を設けた流入口（流入通路）を通ってフィルタ受台１６と第２のフィルタ受台２９との間隙から合成樹脂ケース１９と繊維状活性炭フィルタ５との間の間隙８に流入した後、繊維状活性炭フィルタ５の外周面から繊維状活性炭フィルタ５を半径方向へ通過して繊維状活性炭フィルタ５とセラミックフィルタ６との間の間隙７に流入し、当該間隙７からセラミックフィルタ６の下端部に流入してセラミックスフィルタ６内を上向きに流れ、カートリッジフィルタ体Ｈの流出口であるセラミックフィルタ６の上端部からケース体Ｇとカートリッジフィルタ体Ｈとの間の空間に流出し、ここからベース体Ｆの流出口１２を通って給水箇所へ送水される。
また、カートリッジフィルタ体Ｈの取り替えや点検方法は第１実施形態の場合と全く同一であるため、ここではその説明を省略する。
【産業上の利用可能性】
【００６２】
本発明は、一般家庭や集合住宅の給水装置のみならず工場等の一般産業設備の給水装置にも適用することができる。
【図面の簡単な説明】
【００６３】
【図１】本発明の第１実施形態に係るカートリッジ型浄水器の断面概要図である。
【図２】図１の浄水器で用いられているカートリッジフィルタ体の断面概要図である。
【図３】本発明の第２実施形態に係るカートリッジ型浄水器の断面概要図である。
【図４】図３の浄水器で用いられているカートリッジフィルタ体の断面概要図である。
【図５】本発明の第３実施形態に係るカートリッジ型浄水器の断面概要図である。
【図６】本発明の第４実施形態に係るカートリッジ型浄水器の断面概要図である。
【図７】本発明の第５実施形態に係るカートリッジ型浄水器の断面概要図である。
【図８】従前のカートリッジ型浄水器の取り付け状態の説明図である。
【図９】従前のカートリッジ型浄水の断面概要図である。
【符号の説明】
【００６４】
Ａ      カートリッジ型浄水器
Ｃ      給水管
Ｅ      供給水管
Ｆ      ベース体
Ｇ      ケース体
Ｈ      カートリッジフィルタ体
Ｋ      浄水器接続部
Ｗ      水
Ｏ      オーリング
２      胴部ケーシング
３      ヘッドキャップ
４      濁度フィルタ
５      繊維状活性炭フィルタ
６      セラミックフィルタ
６ａ    筒体
６ｂ    セラミック体
６ｃ    多孔板
７      間隙
８      間隙
９      間隙
１０    流入口
１１    環状溝
１２    流出口
１３    締結金具
１４    空気技弁
１５    ベース体Ｆのフィルタ嵌合部
１５′  第２のフィルタ嵌合部
１６    フィルタ受台
１６ａ  鍔状の円盤体
１６ｃ  セラミックフィルタ受筒
１６ｂ  フィルタ支持筒体
１６ｄ  Ｏリング挿着溝
１６ｅ  切欠
１６ｆ  支持筒体
１７    逆止弁機構
１７ａ  弁座体
１７ｂ  弁体
１７ｃ  スプリング
１８    フィルタ押え
１８ａ  取っ手
１８ｂ  挿入穴
１９    樹脂ケース
２０    第２のフィルタ受台
２０ａ  第２の円盤体
２０ｂ  第２のフィルタ支持筒体
２０ｃ  スペーサ
２０ｄ  Ｏリング挿着溝
２１ａ  弁体の支持固定点
２１ｂ  弁体
２１ｃ  弁座
２２    間隙（流入口又は流入通路）
２３    締結金具
２４    第２のフィルタ受台
２４ａ  第２の円盤体
２４ｂ  第２のフィルタ支持筒体
２４ｃ  スペーサ
２５    流入口（流入通路）
２６    逆止弁機構
２６ａ  弁座体
２６ｂ  弁体
２６ｃ  スプリング
２７    フィルタ支持板
２７ａ  フィルタ支持板のフィルタ嵌合部
２８    フィルタ支持筒体
２９    第２のフィルタ受台
２９ａ  第２の円盤体
２９ｂ  第２のフィルタ支持筒体
２９ｃ  Ｏリング装着溝
【図１】
2007245128.tif 000003
【図２】
2007245128.tif 000004
【図３】
2007245128.tif 000005
【図４】
2007245128.tif 000006
【図５】
2007245128.tif 000007
【図６】
2007245128.tif 000008
【図７】
2007245128.tif 000009
【図８】
2007245128.tif 000010
【図９】
2007245128.tif 000011